Podtech/llm-jp-corpus-v4-ja_patent huggingface dataset:
(57)【要約】【課題】  衣類や鞄の弛みの量を調節し、皺の起伏の形状を固定させる、生地の弛みを調節する為の固定装具を提供する。【解決手段】  変形可能なフレームに、留め金受けを設け、この留め金受けと留め金の間に、生地を挟み固定することを特徴とする、生地の弛みを調節する為の固定装具である。【選択図】図１
2008280660.tif 000002
【特許請求の範囲】
【請求項１】
変形可能なフレームに留め金受けを設け、この留め金受けと留め金の間に、生地を挟み固定することを特徴とする生地の弛みを調節する為の固定装具。
【発明の詳細な説明】
【技術分野】
【０００１】  本発明は、衣類や鞄の弛みを調節し、皺の起伏を固定させる、生地の弛みを調節する為の固定装具に関するものである。
【背景技術】
【０００２】  従来、ファッションのデザインとしてつけられた弛みや皺は、使用していくうちに弛みの崩れや、皺の凹凸のぼやけが起こっていた。
また、希望通りの弛みや皺を作ることは容易ではなく、その形を維持する為には、手で頻繁に直す必要があった。
【発明の開示】
【発明が解決しようとする課題】
【０００３】    そのために、次のような問題点があった。
（イ）ファッションデザインとして形成された皺は、使用していくうちに凹凸が薄れぼやけたり、形が変形する為、購入時の状態が持続し難く、快適に使用できる製品寿命が短かった。
（ロ）ズボンの裾やスカートの裾にある弛みは、固定されていない為、その弛みが崩れると、接地や引きずりをおこし、汚れや破損の原因となっていた。
（ハ）ズボン裾の形状は、ズボン全体の製品イメージに、強く影響する為、形状を固定する事のできる、ファッション誌などの写真と、形状を固定する事ができない。
したがって、実際使用した場合とでは、製品イメージが大きく異なる場合があった。
本発明は、これらの問題点を解決する為になされたものである。
【課題を解決するための手段】
【０００４】変形可能なフレームに留め金受けを設け、この留め金受けと留め金の間に、生地を挟み固定することを特徴とする生地の弛みを調節する為の固定装具である。
【発明の効果】
【０００５】  本発明は、皺の周辺を留め金で固定する為、皺部分の生地が引っ張られる事が無く、凹凸の薄れや、ぼやけを防ぐ効果がある。
そして、固定箇所が複数あるため、弛みの量を上下左右自在に、調節することができる。したがって、衣類の裾部分の弛みの崩れを防ぎ、汚れや破損の原因である接地や引きずりを起こすことは無い。
また、フレームが変形自在な為、取り付ける生地の形に数多く対応ができ、湾曲の角度を調節することにより、ズボン裾の形状を固定することができる。
【発明を実施するための最良の形態】
【０００６】以下、本発明の実施の形態を説明する。
（イ）本体（１）は、厚さ１．５ｍｍの金属で形成されている変形可能なフレーム（２）と、４角４箇所（３Ａ・３Ｂ・５Ａ・５Ｂ）と中央上下２箇所（４Ａ・４Ｂ）にある留め金受け穴（６）から構成されている。
（ロ）留め金（７）は生地を貫通させる為の芯（８）を設けている。
（ハ）図３に示すように、芯（８）には突起（９）を設けていて、図４に示すように、留め金受け穴（６）には溝（１０）を設けている。この突起（９）と溝（１０）により、留め金（７）は留め金受け穴（６）に着脱自在となる。
本発明は、以上の構成よりなっている。
本発明を使用するときは、本体（１）を生地の内側に入れ、生地の外側から留め金（７）の芯（８）を生地に貫通させ、留め金受け穴（６）に差し込み固定する。
生地の弛みは、留め金受け穴（６）の上穴（３Ａ・４Ａ・５Ａ）と下穴（３Ｂ・４Ｂ・５Ｂ）の間に集めることにより、弛みの量を自由に調節することができる。この結果、接地や引きずりによる、汚れや破損を防ぐことができる。
また、留め金穴（６）の左穴（３Ａ・３Ｂ）・中央穴（４Ａ・４Ｂ）・右穴（５Ａ・５Ｂ）の間に生地を集めることで、縦に皺ができる。その結果、ファッションデザインとしての皺は、更に自由度の高い表現が可能となる。（図６参照）
尚、留め金（７）と留め金受け穴（６）は着脱が容易にできる為、生地の固定を何度もやり直すことができ、気に入った弛みや皺は、これらを外さない限り、その形を維持することができる。
さらに、フレーム（２）が変形自在な為、取り付ける生地の形に数多く対応ができ、湾曲の角度を手で簡単に調節することができるので、ズボン（１４）の裾全体の形状を、自由に形成し固定することができる。
【実施例１】
【０００７】  図７に示すように、穴付き留め金（１１）に溝（１０）を設けた留め金受け穴（６）を設ける。そして、芯付き本体（１２）に突起（９）を設けた芯（８）を設ける。穴付き留め金（１１）を生地の内側に入れ、芯付き本体（１２）を生地の外側に取り付けることで、図９に示すように、生地の弛みを通常とは逆側の内側に、出すことができる。そして、本体（１）の形状をデザイン性の高いものにして、装飾金物として使用しても良い。
【実施例２】
【０００８】  図１０に示すように、厚さ１．０ｍｍ以下の変形可能な板状の本体（１１）を生地の内側に入れ、留め金（７）を生地の外側に取り付けることで、図１１に示すように、ズボンの前ポケット下の皺（アパレル業界用語ではヒゲと称している）に使用しても良い。
【図面の簡単な説明】
【０００９】
【図１】  本発明の斜視図
【図２】  本発明の分解斜視図
【図３】  本発明の留め金の拡大側面図
【図４】  本発明の留め金受け穴の拡大断面図
【図５】  本発明の使用状態を示す説明図
【図６】  本発明の使用状態を示す説明図
【図７】  本発明の他の斜視図
【図８】  本発明の他の使用状態を示す説明図
【図９】  本発明の他の使用状態を示す説明図
【図１０】  本発明の他の斜視図
【図１１】  本発明の他の使用状態を示す説明図
【符号の説明】
【００１０】    １      本体
２      フレーム
３Ａ    左上留め金受け穴
３Ｂ    左下留め金受け穴
４Ａ    中央上留め金受け穴
４Ｂ    中央下留め金受け穴
５Ａ    右上留め金受け穴
５Ｂ    右下留め金受け穴
６      留め金受け穴
７      留め金
８      芯
９      突起
１０    溝
１１    穴付き留め金
１２    芯付き本体
１３    板状の本体
１４    ズボン
１５    靴
１６    ヒゲ
【図１】
2008280660.tif 000003
【図２】
2008280660.tif 000004
【図３】
2008280660.tif 000005
【図４】
2008280660.tif 000006
【図５】
2008280660.tif 000007
【図６】
2008280660.tif 000008
【図７】
2008280660.tif 000009
【図８】
2008280660.tif 000010
【図９】
2008280660.tif 000011
【図１０】
2008280660.tif 000012
【図１１】
2008280660.tif 000013
(57)【要約】【課題】屋外での食事の代表的なものは、バーベキューであるが、一方の手は箸を持ち、もう一方の手は皿やコップを持たなければならない、手に持たなければ風に飛ばされたり、他人の容器と判別できなくなり、どうしても一人が多くの容器を無駄に使用する傾向にある、使用した容器のほとんどは再使用されず塵として廃棄され、その後、焼却場で処分される、焼却処分はダイオキシンの発生懸念から高温で処分されるためエネルギー消費の観点からも問題がある。【解決手段】プレス加工によって成型された紙製のトレーであって、トレーは形状の異なる数個の凹状の窪を具備し、凹状の窪みに食べ物や飲み物を一度に取り載せる。                                                                    【選択図】図１
2008113869.tif 000002
【特許請求の範囲】
【請求項１】
プレス加工によって成型された紙製のトレーであって、トレーは形状の異なる数個の凹状の窪を具備し、凹状の窪みに食べ物や飲み物を一度に取り載せることを特徴とする容器一体型紙トレー。
【発明の詳細な説明】
【技術分野】
【０００１】
本発明は、例えば野外でも食事ができる飲食物を載せる紙トレーに関するものである。
【背景技術】
【０００２】
近年、アウトドア志向により、屋外での飲食が増えてきた。皿やコップの容器はプラスチック容器が多く使われているが、環境保護の観点から紙質の容器も使われてきたがいずれも単品の容器である。
【特許文献１】特開２００６−１５００２８号公報
【発明の開示】
【発明が解決しようとする課題】
【０００３】
屋外での食事の代表的なものは、バーベキューであるが、一方の手は箸を持ち、もう一方の手は皿やコップを持たなければならない、手に持たなければ風に飛ばされたり、他人の容器と判別できなくなり、どうしても一人が多くの容器を無駄に使用する傾向にある、使用した容器のほとんどは再使用されず塵として廃棄され、その後、焼却場で処分される、焼却処分はダイオキシンの発生懸念から高温で処分されるためエネルギー消費の観点からも問題がある。
【課題を解決するための手段】
【０００４】
本発明は、上記課題を解決するため、請求項１の発明は、プレス加工によって成型された紙製のトレーであって、トレーは形状の異なる数個の凹状の窪を具備し、凹状の窪みに食べ物や飲み物を一度に取り載せることを特徴とする。
【発明の効果】
【０００５】
紙トレーには異なる数個の凹状の窪に味の違う種類の料理を載せ、トレーは片手で持ち運びができる。一人に１個のトレーで汁物や飲み物や固形の食べ物も一度に載せられるため無駄な容器を使用せずに、塵も少なくて済む。
【発明を実施するための最良の形態】
【０００６】
紙トレーに異なる数個の凹状の窪を具備し、凹状の窪みに飲食物を載せることで実現した。
【実施例】
【０００７】
以下に実施例を挙げ、本発明の容器一体型紙トレーについて、図面を参照して詳細に説明する。
図１は、本発明に係わる容器一体型紙トレーの実施例を示す側面図である。図２は、本発明に係わる容器一体型紙トレーの実施例を示す正面図である。
【０００８】
図１と図２において、本発明の容器一体型紙トレー１は、三角形状をしたトレー２に３個の円形で形状の違う凹状の窪みを具備している、トレー２は斜線で示す。
【０００９】
窪みは大型容器３と皿容器４と小型容器５とに区分されている。
【００１０】
それぞれの大型容器３と皿容器４と小型容器５は、トレー２と結合している。
【００１１】
大型容器３には大型容器底部３ａを、皿容器４には皿容器底部４ａを、小型容器５には小型容器底部５ａを、それぞれ備えることによって、食物を載せることができる。
【００１２】
図１と図２は円形容器を３個で、トレー２は三角形の形状であるが、トレーは例えば４角形でもよいし、多角形、あるいは円形でもよい。
【００１３】
図１と図２は円形容器を３個に描いているが、３個以上でも以下でもよい、また容器は三角形でも四角形でも多角形でもよい。
【００１４】
トレー２に大型容器３と皿容器４と小型容器５に飲食物や食べ物が載せられると重さによって折れ曲がる可能性があるため、トレー２の厚みを厚くする必要がある。
【００１５】
本発明の容器一体型紙トレー１成型は、プレス機械によって形を整えるが、プレスの圧力を強く加えることによって容器一体型紙トレーの材質は紙であるが硬く固まることによって強度を保持する。
【００１６】
またより以上に強度を増すために、トレー２の外周のエッジ部を下か上に折り曲げる方法も考えられる。
【００１７】
容器一体型紙トレー１の表面を防水コーティングすることによって、本発明の容器一体型紙トレー１は数回の使用にも耐えることができ、省資源で省エネルギーに貢献できる。
【００１８】
大型容器３や皿容器４や小型容器５に何を載せるかといえば、例えば大型容器３には、スープをいれる、また皿容器４にはバーベキューなどの固形の食物を入れる、また小型容器５には飲み物の缶ジュースやコーヒーなど入れる。
【産業上の利用可能性】
【００１９】
本発明は、アウトドアのレジャー以外でも災害時の食事の際の飲食に使用する皿やコップの用途にも適用できる。
【図面の簡単な説明】
【００２０】
【図１】本発明に係わる容器一体型紙トレーの実施例を示す側面図である。
【図２】本発明に係わる容器一体型紙トレーの実施例を示す正面図である。
【符号の説明】
【００２１】
１    容器一体型紙トレー
２    トレー
３    大型容器
３ａ  大型容器底部
４    皿容器
４ａ  皿容器底部
５    小型容器
５ａ  小型容器底部
【図１】
2008113869.tif 000003
【図２】
2008113869.tif 000004
(57)【要約】      （修正有）【課題】ＣＤやビデオ等の内容は、パッケージに印刷されている説明や写真等では解かりにくいので、パッケージを開封しなくとも、内容をより解かりやすくする。【解決手段】あらかじめパッケージの外側に内容の動画、静止画の一部をＱＲコード化して印刷しておく。内容を知りたい者がパッケージを開封せずに外側から携帯電話機によりＱＲコードを読み取り、同じくその表示器に動画、静止画を再生することにより映像が試写できるようにする。【選択図】図１
2008113398.tif 000002
【特許請求の範囲】
【請求項１】
ＣＤ、ビデオ等の映像の内容を解かり易くする為に、ＱＲコード（動画、静止画）をパッケージに印刷して、コンテンツの一部を携帯電話に取り込んで、映像が試写できるようにする。
【発明の詳細な説明】
【発明の詳細な説明】
この発明は、ＣＤやビデオ等の内容はパッケージの説明や写真等では内容が解かり辛い部分があるので、ＱＲコード（動画、静止画）を使って、携帯電話に映像の一部を取り込むことに寄って、内容がより解かりやすくする為に考案したものである。
本発明を、図面について説明すれば、図１のＣＤパッケージＡ，ビデオパッケージＢ，にＱＲコードＣ，を印刷して、パッケージを開封しない状態で、携帯電話Ｄ，によりＱＲコードを読み取り、動画、静止画を取り込むことにより、映像が試写できるようにした。
【図面の簡単な説明】
【図１】本発明の正面図である。
【符号の説明】
ＡはＣＤパッケージ、Ｂはビデオパッケージ、ＣはＱＲコード  Ｄは携帯電話
【図１】
2008113398.tif 000003
【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
ＤＶＤ、ＣＤ、ビデオ等の映像の内容を解かり易くする為に、ＱＲコード（動画、静止画）をパッケージに印刷して、コンテンツの一部を携帯電話に取り込んで、映像が試写できるようにする。
【手続補正２】
【補正対象書類名】明細書
【補正対象項目名】全文
【補正方法】変更
【補正の内容】
【発明の詳細な説明】
〔特許請求の範囲〕
〔請求項１〕ＤＶＤ、ＣＤ、ビデオ等の映像の内容を解かり易くする為に、ＱＲコード（動画、静止画）をパッケージに印刷して、コンテンツの一部を携帯電話に取り込んで、映像が試写できるようにする。
【発明の詳細な説明】
【技術分野】
【０００１】  本発明は、ＤＶＤ，ＣＤ，やビデオ等の内容はパッケージの説明や写真等では内容が解かり辛い部分があるので、ＱＲコード（動画，静止画）を使って、携帯電話に映像の一部を取り込む事に寄って、内容がより解かり易くする為に考案した。
【図面の簡単な説明】  本発明を、図面について説明すれば、図１のＤＶＤ，ＣＤケースＡビデオパッケージＢ、にＱＲコードＣ、を印刷して、ケースを開封しない状態で、携帯電話Ｄ、によりＱＲコードを読み取り、動画、静止画を取り込むことにより、映像が試写できるようにしたものである。
【手続補正４】
【補正対象書類名】図面
【補正対象項目名】全図
【補正方法】変更
【補正の内容】
【図１】
2008113398.tif 000004
【手続補正書】
【提出日】平成19年3月23日(2007.3.23)
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】本発明は、ＤＶＤ，ＣＤ，やビデオ等の内容はパッケージの説明や写真等では内容が解かり辛い部分があるので、ＱＲコード（動画，静止画）を使って、携帯電話に映像の一部を取り込む事に寄って、内容がより解かり易くする為に考案した。
【図面の簡単な説明】
【０００２】
【図１】本発明の実施形態を示す説明図である。
【符号の説明】
【０００３】ＡはＤＶＤ，ＣＤケース、Ｂはビデオパッケージ、ＣはＱＲコード  Ｄは携帯電話
(57)【要約】【課題】    従来、榎茸の紙巻を手作業で行う場合、コンテナに収容された栽培容器を１個毎に取り出して、片手で保持しながら紙を取り巻き付け、又コンテナに戻していた、作業効率が悪く時間が掛かり又近年は収量増加のため栽培容器の大型化・重量化が進み、手で保持することによる手首の疲れ等で作業者の負担が増加している。【解決手段】    栽培容器をコンテナに入れたまま本作業機に乗せ、本発明により栽培容器をひな壇上に持ち上げて、栽培容器をコンテナから取り出すことなく紙巻作業を可能とした。【選択図】図３
2008113639.tif 000002
【特許請求の範囲】
【請求項１】
コンテナに収容されている榎茸栽培容器を、ひな壇状に設置したロット棒によりコンテナ下部開口部からひな壇状に押し上げることにより、榎茸栽培容器を個々に取り出すことなく紙巻作業を可能にするための紙巻作業機。
【発明の詳細な説明】
【技術分野】
【０００１】  この発明は、コンテナに収容された榎茸栽培容器を個々に取り出すことなく、榎茸の紙巻作業を可能にする作業機に関するものである。
【背景技術】
【０００２】  従来、榎茸の紙巻を手作業で行う場合、作業者が個々に栽培容器をコンテナから取り出して栽培容器を手で保持しながら紙を巻き、又コンテナに戻すという手順で行っていたが、効率が著しく悪い作業であった。
【発明の開示】
【発明が解決しようとする課題】
【０００３】  これは次のような欠点があった。
（イ）栽培容器を個々に取出して手で保持しながら紙を巻き付ける作業で時間が掛かる。
（ロ）栽培容器の大型化と重量化による作業者の手首等の疲労や炎症。
（ハ）低温により容器が結露して濡れているための持ちずらさ。
本発明は、以上の欠点を解するためになされたものである。
【課題を解決するための手段】
【０００４】  栽培容器をコンテナに入れたまま本作業装置にのせる、コンテナ下部の空き部分からひな壇上に設置したロッド棒で栽培容器をひな壇状に持ち上げる、各栽培容器の前後の段差を利用してコンテナに入ったままで栽培容器を取り出すことなく紙巻きを可能にする。
本発明は、以上のような構成よりなる紙巻作業機である。
【発明の効果】
【０００５】  本発明は、従来の方法に比べてはるかに、作業の高速化が期待でき、また作業が楽に行えるため作業員の確保に寄与する。
【発明を実施するための最良の形態】
【０００６】  以下、本発明の実施の形態を説明する。
（イ）栽培容器の入ったままの２．コンテナを本装置に乗せエアーシリンダーで栽培容器をひな壇状に持ち上げ、紙巻作業を行う。
（ロ）作業終了後栽培容器を下ろし、コンテナごと本装置から収納する。
本発明は、以下の構成よりなっている。
本装置の下側に上部に向かって、栽培容器を持ち上げる５．栽培容器押し上げロッドを個々に３．コンテナ底部開口部を通過する位置に設ける、押し上げロッドの長さ・位置は栽培容器が持ち上がった時にひな壇状になるように設置する、本装置の上部に栽培容器が持ち上がったときの４．倒れ防止ガイドを設置して倒れ防止とする、側面の倒れ防止ガイドはコンテナの着脱が容易に行えるように１２．倒れ防止回転軸によりコンテナ着脱時に自動的に開閉する、ロット棒の上げ下げは８．エアーシリンダーで行う。
【図面の簡単な説明】
【０００７】
【図１】本発明の実施形態を説明するコンテナと栽培容器図
【図２】本発明の実施形態を説明するコンテナ底部開口部図
【図３】本発明の実施形態を説明する斜視図
【図４】本発明の図６におけるＡ−Ａ線断面図
【図５】本発明の図６におけるＢ−Ｂ線断面図
【図６】本発明のコンテナ挿入時の平面図
【図７】本発明のコンテナ取出し時の平面図
【符号の説明】
【０００８】１．    栽培容器
２．    コンテナ
３．    コンテナ底部開口部
４．    倒れ防止ガイド
５．    栽培容器押し上げロッド
６．    巻紙
７．    榎茸
８．    エアーシリンダー
９．    本体フレーム
１０．  スライドベアリング
１１．  コンテナガイド
１２．  倒れ防止ガイド回転軸
１３．  スプリング
【図１】
2008113639.tif 000003
【図２】
2008113639.tif 000004
【図３】
2008113639.tif 000005
【図４】
2008113639.tif 000006
【図５】
2008113639.tif 000007
【図６】
2008113639.tif 000008
【図７】
2008113639.tif 000009
(57)【要約】      （修正有）【課題】草刈機で草刈り作業中、回転中の草刈刃が石ころを跳ねて作業者の方へ飛んできて危ないしケガをすることがある。また刈り取った草や蔓は、草刈刃の刃先に引っ掛けて草刈機本体の先端回転軸カバーに巻きついて草刈刃の回転を止めることがある。草刈刃の回転が止まるとエンジンを切り、草や蔓を外してから作業をする。これでは危ないしケガをすることがあり作業時間も掛かって効率も落ちていた。これらを解決する草刈刃用保護板を提供する。【解決手段】草刈刃５に、外側に反った円形状の草刈刃用保護板１をとりつける。草刈刃用保護板は、底部分に２個所以上の引っ掛け固定用部材２を附け、草刈刃の刃先より少し内側に設けた穴と係合固定する。【選択図】図１
2008113640.tif 000002
【特許請求の範囲】
【請求項１】
草刈刃用保護板１の壁面は、外側に反った円形状にしたことを特徴とする草刈刃用保護板。
【請求項２】
草刈刃用保護板１の底部分に２個所以上の引っ掛け固定用部材２を附けた。草刈刃５の刃先より少し内側の穴に引っ掛け固定用部材２を嵌め込めるような円の大きさにしたことを特徴とする草刈刃用保護板。
【発明の詳細な説明】
【技術分野】
【０００１】  本発明は、草刈り作業中に石ころを跳ねた時に作業者の方へ飛ばないようにすること。また刈った草や蔓が、草刈機本体の先端回転軸に絡まり草刈刃の回転を止めることを防ぐようにした、草刈刃用保護板を提供する。
【背景技術】
【０００２】  従来は、草刈り作業中に石ころが作業者の方へ飛んできて危ないことや、草や蔓が草刈機本体の先端回転軸カバーの回りに絡まり、草刈刃の回転を止めることで作業効率を落としていた。
【発明の開示】
【発明が解決しようとする課題】
【０００３】  草刈り作業中、回転中の草刈刃が跳ねた石ころは作業者の方へ飛んできて危ないことがある。また刈り取った草や蔓が先端回転軸カバーの回りに巻きついて草刈刃の回転を止めることがあり作業効率を落としていた。これらを解決することを課題とする。
【問題を解決するための手段】
【０００４】  請求項１の発明は、草刈刃用保護板１の壁面を外側に反ることにより、刈りとった草や蔓が外側に出されて先端回転軸カバー３に絡みつかないようにすることと、草刈刃５が跳ねた石ころは、草刈刃用保護板１の壁面に当たり作業者１２の方に飛ばないようにしたことを特徴とする。
【０００５】  請求項２の発明は、草刈刃５の中心から均等に穴が開いており、刃先より少し内側の穴に草刈刃用保護板１の引っ掛け固定用部材２を嵌め込んで少し右回りに回す。草刈刃５は左回転するために、引っ掛け固定用部材２と草刈刃５の穴は食い込みあい、草刈刃用保護板１と草刈刃５は固定されることを特徴とする。
【発明の効果】
【０００６】  草刈機で草刈り作業中、草刈刃が跳ねた石などが作業者の方に飛んできて危ないことがあるし、また刈り取った草や蔓は先端回転軸カバーに絡むことが多い。草刈刃が石などを跳ねてもほとんど作業者の方に飛んでくることはないし、刈った草や蔓は先端回転軸カバーに絡まないから効率よく作業ができる。
【発明を実施するための最良の形態】
【０００７】  図１は、草刈作業中は、刃先とナット保護カバー７の間にある引っ掛け固定用部材２は地面１３から離れていて、草刈刃５が回転していても地面１３に接触しない構造を表している。図２は、草刈刃用保護板１の全体図で引っ掛け固定用部材２を表した図である。図３は、草刈作業中に草刈刃５が石ころ１０を跳ねて、石ころが飛ぶ角度の線１１を表した図である。飛んだ石ころ１０が作業者１２に当たるような角度は、草刈刃用保護板１の壁面に当たて作業者１２に当たらないようにした。
【産業上の利用可能性】
【０００８】  本発明に係る草刈刃用保護板は、工業的に量産する事が可能であるため、産業上の利用可能性を有する。
【図面の簡単な説明】
【０００９】
【図１】地面と草刈刃の角度図
【図２】草刈刃用保護板本体斜視図
【図３】草刈作業中に石を跳ねたときの図
【符号の説明】
【００１０】  １    草刈刃用保護カバー本体
２    引っ掛け固定用部材
３    先端回転軸カバー
４    先端回転軸カバーの点線
５    草刈刃
６    草刈機本体用支持柄
７    ナット保護カバー
８    ハンドル
９    原動機
１０  石ころ
１１  石ころの飛ぶ角度の線
１２  作業者
１３  地面
【図１】
2008113640.tif 000003
【図２】
2008113640.tif 000004
【図３】
2008113640.tif 000005
(57)【要約】【課題】  この発明はルアーの内部に発光ダイオード、発光、点滅回路、リチウム電池を接続し、ルアーを水に浸けるだけで発光し、水からルアーを取り出すと発光をやめるようにしたものである。【解決手段】  ルアー（１）の内部に発光ダイオード（２）、発光、点滅回路（３）、リチウム電池（４）を接続し、スイッチとなる＋の端子（５）と−の端子（６）を別々にルアー（１）の表面から外側に突き出させて針（７）と針（８）を接続する。このルアー（１）を水に浸けることにより、水が媒体となって針（７）と針（８）が通電して電気が流れ、発光ダイオード（２）が発光する。ルアー（１）を水から取り出すと針（７）と針（８）の電気が遮断され発光ダイオード（２）は発光しなくなる。【選択図】図１
2008113645.tif 000002
【特許請求の範囲】
【請求項１】
ルアーの内部に、発光ダイオードと発光、点滅回路とリチウム電池が接続されており、スイッチとなるＯＮ−ＯＦＦ用の２つの端子が別々にルアーの表面から突き出ているルアー。
【発明の詳細な説明】
【技術分野】
【０００１】  この発明はルアーに関するものである。
【背景技術】
【０００２】  従来の発光ルアーは、リチウム電池の取り付け、取り外しでスイッチをＯＮ−ＯＦＦしたり、外側から手で押して圧力を加えてスイッチをＯＮ−ＯＦＦするものであった。
【発明の開示】
【発明が解決しようとする課題】
【０００３】  本発明は、ルアーを水に浸けるだけで電流が流れ、水から離れると電流が流れなくなるようにすることである。
【課題を解決するための手段】
【０００４】  本発明は、スイッチとなる＋−の２本の端子を別々にルアーの表面から外側に突き出すことである。
【発明の効果】
【０００５】  本発明の効果を説明すると、ルアーを水に浸けることにより、外側に突き出した＋−の２本の端子の間で水が媒体となって通電し、電気が流れて発光ダイオードが発光する。水からルアーを離すと＋−の２本の端子は遮断され電流が流れなくなり発光ダイオードは発光をやめる。
【発明を実施するための最良の形態】
【０００６】  ルアーの＋−の２本の端子を別々の針に接続することにより、針がスイッチの役割となる。
【実施例】
【０００７】  本発明の実施例を説明すると、図１のように、ルアー（１）の内側に発光ダイオード（２）と点滅、発光回路（３）とリチウム電池（４）が接続されており、スイッチとなる＋の端子（５）と−の端子（６）を別々に突き出させ、先端を輪にし、それぞれ針（７）と針（８）に接続する。
このルアー（１）を水の中に入れると、水が媒体となって針（７）と針（８）は通電し電気が流れることにより発光ダイオード（２）が発光する。水からルアー（１）を取り出すと、針（７）と針（８）は電気が遮断され発光ダイオード（２）は発光をやめる。
【産業上の利用の可能性】
【０００８】  上記構成にすることにより、ルアーが水に入っているときだけ発光し、水から取り出すと発光をやめるので電池の無駄を省き、またいちいち手でスイッチをＯＮ−ＯＦＦさせる必要もなくなる。
【図面の簡単な説明】
【図１】  本発明の正面図
【符号の説明】
１はルアー
２は発光ダイオード
３は発光、点滅回路
４はリチウム電池
５は＋端子
６は−端子
７は針
８は針
【図１】
2008113645.tif 000003
(57)【要約】      （修正有）【課題】  昆虫など小動物（例えばカブトムシ、クワガタムシ、甲虫類、亀など）が壁面沿いに立ち上がり、壁面を登ろうとしてもがいているうちに後方や横方向に倒れることを防止するケースを提供する。【解決手段】ケース本体の平面形状は四角形や丸型など自由だが、正面壁１、背面壁２、左側面壁３、右側面壁４の傾斜角度を従来品より緩やかにする。壁面又は、壁面をアール形状にしたことによる効果は同様の効果が得られる。インナー壁に関しては、提供したケース本体と同等の形状だが、底壁５、外周縁６は設けなくても良いとし、市販されているケースに嵌合出来る様に設定しても良い。【選択図】図１
2008113642.tif 000002
【特許請求の範囲】
【請求項１】
ケース壁面の傾斜角度を従来品より緩やかに又は、傾斜をアール形状で補った壁面にした、昆虫など小動物の転倒死を防止する為の転倒防止ケース本体。
【請求項２】
市販ケースなどの内側に嵌合する事が出来る、〔請求項１〕と同等形状のインナー壁。
【発明の詳細な説明】
【技術分野】
【０００１】  この考案は、昆虫など小動物（例えばカブトムシ、クワガタムシ、甲虫類、亀など）が飼育ケース壁面を登ろうと立ち上がって、もがいているうちに、後方や横に倒れて仰向けになってしまう事を防止するケース本体及び、市販されているケースの中に嵌合して使用する為のインナー壁に関するものである。
【背景技術】
【０００２】  従来から、市販されている、昆虫など小動物を飼育するために利用しているケースには、四角形や円柱形の物がある。
【発明の開示】
【発明が解決しようとする課題】
【０００３】  現在市販されている製品には、次のような欠点があった。
（イ）  昆虫など小動物の死亡原因の中で、飼育ケースの正面壁（１）、背面壁（２）、左側面壁（３）、右側面壁（４）、の傾斜角度が垂直に近いため、昆虫など小動物が壁面沿いに立ち上がってもがくと、後方や横に倒れて仰向けになってしまい、起き上がろうともがいているうちに、体力を消耗して死んでしまう可能性が高かった。
（ロ）  仰向けになるたびに、飼い主がケースを開けて正常の位置に手で戻してあげなければならなかった。
（ハ）  昆虫などの場合、自力で起き上がらせる為に、木の枝や枯葉などをケース内に設置しなければならなかった。
本発明は、上記の欠点や、手間を無くすための物である。
【課題を解決するための手段】
【０００４】  本発明品の形状は、ケース壁面の傾斜角度を従来品より緩やかにした〔図１〕〔図２〕〔図３〕〔図７〕〔図８〕又は、壁面の傾斜角度をアール形状で補った〔図４〕〔図５〕〔図６〕〔図９〕〔図１０〕であるが、傾斜角度やアールは昆虫など小動物が後方に倒れなくなる角度やアールで任意とする。但し壁面の傾斜が垂直に近くなるにつれて本考案の効果は、減少する。壁面の傾斜角度を緩やかにした物と壁面の傾斜をアールで補った物とは形状は違うが、本考案が意図する効果は同じである。壁面（１）（２）（３）（４）の上部が従来品と同等の形状なのは、〔図２〕を例に取ると、本考案である壁面の傾斜角度を壁面（１）（２）（３）（４）のように緩やかにしたままケース本体に高さを付けると、外周縁（６）が広くなってしまい、ケース本体が大きくなってしまうので、ケース壁面上部は従来品と同等の形状でも良いとする、高さを求めなければ、傾斜やアールのまま上部に外周縁（６）を設けても良い。本考案は、壁面の角度を緩やかにする事と壁面をアールにする事で同効果を得る事であるので、ケース本体の幅、奥行きや高さなど大きさや形状は本考案には関係無い為、コスト削減のため従来品の蓋が利用出来る様に、従来品と同形状の外周縁（６）を設ける形状でも良い、新たに見栄えや、使い勝手によって〔図７〕〔図８〕〔図９〕〔図１０〕の例の様に本考案を取り入れた任意形状でも良いとする。【０００５】  ケース本体の材質は、成樹脂、ガラスなど従来品に使用している材質や今後新たに発明された材質など加工できる材質とする。【０００６】  インナー壁は、市販されているケース内側に前章〔０００４〕で述べた本体の形状の物を嵌合して、使用する為、提案しているケース本体の壁面と同等の角度又はアールにする。但し、底壁（５）と外周縁（６）は設けても設けなくても良いとする。【０００７】  本発明は、以上の構成の昆虫など小動物が転倒する事を防止するための、ケース本体及びインナー壁である。
【発明の効果】
【０００８】  ケース壁面の傾斜角度が緩やかになったため、昆虫などが飛んで天井面や壁面に衝突して落下転倒しない限り、昆虫など小動物が壁面沿いに立ち上がってもがいても、後方に倒れる事が防止出来た。横に倒れても傾斜が緩やかな為、横滑りしてケース底壁（５）に到達するため、以前のように仰向けに転倒しなくなった。
【発明を実施するための最良の形態】
【０００９】  以下、本発明の実施形態について説明する。
（ａ）  〔図１〕〔図２〕〔図３〕の様に、本体は、正面壁（１）、背面壁（２）、左側面（３）、右側面壁（４）の傾斜角度を従来品の角度より緩やかにする。
（ｂ）  〔図４〕〔図５〕〔図６〕の様に、本体は、正面壁（１）、背面壁（２）、左側面（３）、右側面壁（４）の形状をアール形状にして、上記（ａ）と同様の効果が得られる。
（ｃ）  ケース壁面に高さを付ける場合〔図２〕の例のように、緩やかな傾斜角度のまま外周縁に到達すると、外周縁が広くなるので、ケース上部の壁面は、従来品と同じような垂直に近い角度にしても良い。
（ｄ）  インナー壁は、従来品に嵌合して使用する為、上記（ａ）（ｂ）と同等の形状で、底壁（５）、外周縁（６）は、設けなくても良い。
【図面の簡単な説明】
【０００７】
【図１】は、角型ケース本体例の平面図である。
【図２】は、角型ケース本体例の正面図である。
【図３】は、角型ケース本体例の側面図である。
【図４】は、壁面をアール形状にした角型ケース本体例の平面図である。
【図５】は、壁面をアール形状にした角型ケース本体例の正面図である。
【図６】は、壁面をアール形状にした角型ケース本体例の側面図である。
【図７】は、丸型ケース本体例の平面図である。
【図８】は、丸型ケース本体例の正面図である。
【図９】は、壁面をアール形状にした丸型ケース本体例の平面図である。
【図１０】は、壁面をアール形状にした丸型ケース本体例の正面図である。
【符号の説明】
【０００８】  １  正面壁
２  背面壁
３  左側面壁
４  右側面壁
５  底壁
６  外周縁
【図１】
2008113642.tif 000003
【図２】
2008113642.tif 000004
【図３】
2008113642.tif 000005
【図４】
2008113642.tif 000006
【図５】
2008113642.tif 000007
【図６】
2008113642.tif 000008
【図７】
2008113642.tif 000009
【図８】
2008113642.tif 000010
【図９】
2008113642.tif 000011
【図１０】
2008113642.tif 000012
(57)【要約】【課題】ニコチンを含まない花シガレットを提供する。【解決手段】ニコチンを含まずやに臭さのない、食用、飲用用となる花びらを主な素材とした花シガレットレットである事を特徴とする。【特許請求の範囲】
【請求項１】
（１）食用、飲用用となる花びらを素材とした花シガレット
【請求項２】
（１）請求項（１）の材料に生姜・ハイビスカス科（ケナフ・オクラ等）をブレンドした花シガレット
【請求項３】
請求項（１）、請求項（２）の花シガレットに香り又は薬効成分をもつ草木をブレンドした花シガレット
【発明の詳細な説明】
【技術分野】
【０００１】この発明はニコチン等毒性をもたない花シガレットに関する。
【背景技術】
【０００２】喫煙品としてたばこ、又はたばこをブレンドしたものが知られている。
【発明の開示】
【発明が解決しようとする課題】
【０００３】これには次のような欠点がある。たばこの毒性については公示されており、また、たばこに他の素材をブレンドしたものもニコチンを除去したものではなく、同様の事が言える。本発明はこの欠点を取り除く為になされたものである。
【課題を解決するための手段】
【０００４】食用、飲用用となる花びらを干乾燥して細かく刻み、香りをもつ草木又は薬草等をブレンドしてフィルターをつけて喫煙する。尚、匂いが強い場合は生姜を消臭剤として入れる。
【発明の効果】
【０００５】花びらはニコチンを含まず、匂い、辛み、にがみとも少なく、まろやかな味わい、香りを楽しみながらリラックスした状況を醸し出し、ニコチンによる喫煙習慣を絶つ環境をつくる。
【発明を実施するための最良の形態】
【実施例】
【０００６】１）花びらを乾燥して細かく刻み、紙で巻き、フィルターを取りつけて喫煙するものであるが、煙は軽く特に味、匂いはない。
２）香りをもつ草木、薬効成分をもつ草木を請求項１、請求項２の花シガレットにブレンドして喫煙する。やに臭さがない為、いやな匂いにならない。
【産業上の利用可能性】
【０００７】花びらは燃焼性、通煙性に問題は無く、匂いもニコチンを含まず、匂いも少ないものであり、喫煙習慣を絶つ為に利用し得るものである。
(57)【要約】ドライまたはフリーズドライ製法によるバニラビーンズを微粒子または微細粉に粉砕した製品。【課題】ドライまたはフリーズドライバニラビーンズの香りや食感が、生のバニラビーンズと比較しても遜色ない製品を提供できる。【解決手段】ドライまたは従来のフリーズドライ製法をサヤごとバニラビーンズに応用し、乾燥後の形状を微粒子または微細粉に粉砕することにより、無駄なく高品質な天然香辛料を製造。そして、製菓・食品業界及び香料業界製品の原料とし、食や香りへの安全性や信頼性を確立できる。【選択図】図１
2008113646.tif 000002
【特許請求の範囲】
【請求項１】
ドライまたはフリーズドライ製法により乾燥させてできたバニラビーンズを、微粒子または微細粉に粉砕し食品及び香料の香味原料とする。
【発明の詳細な説明】
【技術分野】（注）見出しの横には何も記載しないで下さい。【０００１】（注）段落番号の横には何も記載しないで下さい。
従来のフリーズドライ製法を用いての加工方法。
【背景技術】
【０００２】
【特許文献１】２００３−０４７４４２
【特許文献２】２００２−３３５８５５
【非特許文献１】
【非特許文献２】
【発明の開示】
１．  一般対象：
現在慣れ親しんでいるバニラの香りは、多くはエッセンス（化学的なもの）であり、天然の香りではない。
またバニラビーンズ（サヤの中に種子が入っている）自体は高価であり、また、正確な使用方法が浸透していない為、香気成分としての効果をあげられていない。
２．  プロフェッショナル対象：
小麦粉や砂糖、バターなどの製菓材料に天然の素材を厳選しても、その食品の最終的な香り付けには「化学的なバニラの香り」を使用することが多い。
それらは、天然のバニラビーンズが高価で、かつ滅菌作業の必要性や作業上の利便性の低さにあることが原因となっている。
３．  バニラビーンズの香気成分は、サヤにある。
バニラビーンズという名称のためなのか、バニラの香気がその「種子」にあると思われていることが多い。
「バニラペースト」も、その種子が固形部分の主成分である。
化学的に香気成分を抽出した後に、サヤを乾燥させて砂糖と一緒に粉砕して使用することもあるが、非常に時間と手間がかかる。
【発明が解決しようとする課題】
１．  現在食品に用いられる香料の多くは、化学薬品・化学調味料である。
我々の身体に及ぼす影響が解明されておらず食の安全性の善意が問われている。
天然のバニラビーンズを手軽に使うことが出来るよう、食品・製菓業界や香料業界に安全な品質の製品を提供することができる。
２．  この製品には香気成分を抽出する工程は無く、サヤをそのまま乾燥させて種子と共に利用するため、従来の種子だけで構成されたものと比較して天然の香り成分が充実し、経済性も高い。
３．  熱帯地域で栽培されるバニラビーンズは、香り高く品質も良いが、現在市場で扱われているものと規格が全く同じでないこと、生産地としてブランド化していないことなどから、買い手が付かずやむなく廃棄されている現状が各熱帯諸国で見受けられる。特許取得及び製品開発は、これらのバニラビーンズを用い小規模農家の方々への支援を含め地域発展に役立てる事が目標でもある。
【課題を解決するための手段】
バニラビーンズ全体（種子及びサヤ）をまるごと乾燥（ドライまたはフリーズドライ）させ、微粒子または微細粉粉砕したものを作る。
その製造工程に滅菌の作業も加える。
【発明の効果】
工業生産品ではない「天然のバニラビーンズの香り」を手軽に使用できる。
サヤごと微粒子または微細粉粉砕するため、従来の種子だけで構成されたものと比較して香りが充実し、コストパフォーマンスも高い。
よって利用後に廃棄されていたバニラビーンズのサヤを無駄なく利用でき、ゴミ量削減などの環境への効果も期待できる。
本加工による製品の誕生により、菓子の製造方法の可能性が広がる。
それは例えば、冷菓にバニラビーンズを使用する際に必要だった「滅菌」の工程の必要がなくなるといった事例を挙げることができる。
また、保存方法が常温で可能となるため使用の用途が増すと同時に長期保存ができる。
【発明を実施するための最良の形態】バニラビーンズをサヤごと微粒子または微細粉に粉砕したもの。
【実施例】      製菓材料として
ａ．チョコレート製造の際に香料として。
ｂ．シュクル・ヴァニーユを使用するレシピに、より手軽な形で。
ｃ．現状のバニラエッセンスのように。
ｄ．冷菓・氷菓に。
【産業上の利用可能性】［１］製菓材料として
ａ．チョコレート・ケーキ製造の際に香料として利用。
ｂ．バニラエッセンス・バニラオイル・バニラリキッド・バニラペースト                  のように利用。
ｃ．冷菓・氷菓など食品にそのまま利用。
［２］香料として
ａ．消臭剤・芳香剤（ルームフレグランス）に利用。
ｂ．調味料・飲料水・食料品に利用。
ｃ．雑貨類に利用（ロウソク・製紙時に混入等）。
［３］スパイスとして
［４］加工品として
ａ．コーヒー用のクリームに利用。
ｂ．コーヒーショップに置くシナモンなどと一緒に利用。
ｃ．砂糖に混ぜて利用（シュクル・ヴァニーユで販売される等）。
【図面の簡単な説明】
【図１】製品フローチャートによるフリーズドライバニラビーンズの加工工程。
【符号の説明】
2008113646.tif 000003
※印について
ドライバニラビーンズの場合は急送冷凍とフリーズドライ乾燥の工程を省く。
【図１】
2008113646.tif 000004
(57)【要約】      （修正有）【課題】繊維状の草やビニールひもなどが、刈刃のついた回転円盤の隙間からカバー内部に入り込み、回転軸まわりの円筒部に巻きつくことを防止する。【解決手段】ハウジングカバー３と刈刃の付いた回転円盤１の隙間から内部に入り込んだ繊維状の草やビニールなどを切断するための刃具６を設定する。刃具６は回転軸４と回転円盤１を連結すためのプレート５に対し高さ方向で重なる。また、切断された草やビニールひもなどを外部に排出するためハウジングカバー３には開口部を設定する。また、切断された草やビニールひもなどをより強制的に外部に排出するためハウジング２の円筒部に斜めの溝を設定してもよい。【選択図】図２
2008113650.tif 000002
【特許請求の範囲】
【請求項１】
ベアリングなどが収まっているハウジングから突出する回転軸に円盤の刈刃が取り付けられた草刈機において、回転軸まわりのハウジングまたはハウジングカバーに刃具を取り付けたことを特徴とする巻付き物除去装置
【請求項２】
ベアリングなどが収まっているハウジングから突出する回転軸に円盤の刈刃が取り付けられた草刈機において、回転軸まわりのハウジングまたはハウジングカバーに取り付ける刃具は、回転軸と円盤を連結するためのプレートに対し高さ方向で重なる（径方向では隙間がある）、つまり刃具が連結プレートの平面部に食い込むように取り付けられていることを特徴とする巻付き物除去装置
【請求項３】
ベアリングなどが収まっているハウジングから突出する回転軸に円盤の刈刃が取り付けられた草刈機において、ハウジングカバーに開口部を設定したしたことを特徴とする巻付き物除去装置
【請求項４】
ベアリングなどが収まっているハウジングから突出する回転軸に円盤の刈刃が取り付けられた草刈機において、ハウジングの円筒部に斜めの溝を設定たしたことを特徴とする巻付き物除去装置
【発明の詳細な説明】
【技術分野】
【０００１】  この発明は、回転円盤の刈刃を持つ草刈機において、回転軸まわりに巻きつく物を除去する装置に関するものである。
【背景技術】
【０００２】  回転円盤の刈刃を持つ草刈機においては、草茎やビニールひもなどの巻きつきが常にある。特に円盤を回転させるための回転軸や軸を保持するベアリングなどが収まっているハウジングまたはハウジングカバーと円盤刈刃の隙間に入り込んだ草茎やビニールひもなどは回転軸部に巻きつき、ハウジングまたはハウジングカバーと回転円盤との隙間を埋め尽くし円盤の回転抵抗となる。回転抵抗はエンジンの燃料消費を悪くする。また、回転抵抗がエンジントルク以上になると回転円盤は停止してしまう。停止したエンジンにおいてハウジングまたはハウジングカバー内の回転軸部に巻きついた草茎やビニールひもなどを取り除くためには、工具を使って回転円盤を草刈機本体から取り外し分解する必要がある。
【発明が解決しようとする課題】
【０００３】  この発明は、回転円盤を草刈機本体から取り外し分解することなく、ハウジングまたはハウジングカバー内に巻きついた草茎やビニールひもなどを取り除くためのものである。
【課題を解決するための手段】
【０００４】  上記課題を達成するためのこの発明の特徴とするところは、回転軸部の連結
プレート円筒部やハウジングの円筒部に巻きついた草茎やビニールひもなどを取り除くため、ハウジングまたはハウジングカバーに刃具を取り付ける。
【０００５】  ハウジングまたはハウジングカバーに取り付ける刃具は、回転軸と円盤を連結するためのプレートに対し高さ方向で重なる（径方向では隙間がある）、つまり刃具が連結プレートの平面部に対して食い込むように取り付けられている。
【０００６】  ハウジングカバーには、開口部が設けられている。また、ハウジングの円筒部には円盤の回転方向に対し、せりあがるような方向の螺旋の溝、または断続的な斜めの溝を設定する。
【発明の効果】
【０００７】  上記構成による作用は次のごとくである。
【０００８】  従来技術ではハウジングカバー３と刈刃のついた円盤１の隙間から進入した草茎やビニールひもなどは、回転軸４と刈刃のついた円盤１を連結するためのプレート５の上面をすべりこんで連結プレート５の円筒部やハウジング２の円筒部分に巻きついていた。巻きついた草茎やビニールひもなどは、ハウジング２やハウジングカバー３内の隙間部分を埋め尽くしてエンジン停止などにいたっていた。
【０００９】  本発明を実施することで隙間から進入した草茎やビニールひもなどは連結プレート５の円筒部やハウジング２の円筒部分に巻きつく前に、ハウジング２やハウジングカバー３に取り付けた刃具６に草茎やビニールひもなどが巻きつくことになり、巻きつきのはじめの過程で刃具６により草茎やビニールひもなどが切断されることになる。
【００１０】  刃具６により切断された草茎やビニールひもなどがわずかにハウジングカバー３内に残ることがあるがハウジングカバー３内の隙間が埋め尽くされる以前にハウジングカバー３の開口部から外部に排出される。また、ハウジング２の円筒部に斜めの溝を設定することで、連結プレート５の回転で草茎やビニールひもなどを強制的に外部に排出するようにすることもできる。
【図面の簡単な説明】
【００１１】
【図１】  全体図
【図２】  図１の部分拡大図
【符号の説明】
１  刈刃のついた回転円盤
２  ハウジング
３  ハウジングカバー
４  回転軸
５  連結プレート
６  刃具
７  ボルト
【図１】
2008113650.tif 000003
【図２】
2008113650.tif 000004
(57)【要約】      （修正有）【課題】使用後のペットボトルの容量をなんら器具や機械を使用すること無く容易に使用者自身でその容量を半分にすることが可能なリサイクル処理を容易にする事の出来るペットボトルを提供する。【解決手段】ペットボトルに縦に半分になるような折り目を付け、その部分を周り本体より柔らかめにしたり薄くしたりする。【選択図】図１
2008239245.tif 000002
【特許請求の範囲】
【請求項１】
ペットボトルの本体胴囲縦の部分を、蓋周辺を避ける様に半分の位置より折り目がつく谷折りをつけ、使用後簡単にボトル部分を半分に折り返せることの出来るペットボトル。
【請求項２】
ペットボトルを半分に折る折り目の位置付けを他の部分より軟らかくしたり、薄くしたりして請求項１と同様のことが出来るペットボトル。
【請求項３】
ペットボトルの半分の位置に数ミリ位の幅で、請求項１ないしは請求項２の素材を利用し同様のことを可能にしたペットボトル。底部分も同様折り返しを付けるのも同様。
【請求項４】
ペットボトルの形は円筒形の物も四角筒形の物も同様である。
【発明の詳細な説明】
【技術分野】
【０００１】    本発明は、飲み物容器として広く普及し、且つリサイクル可能な容器として収集されているペットボトルの使用後の容量を手軽に縮小できるようにしたものである。
【背景技術】
【０００２】  従来、リサイクル可能な容器として広く知られているペットボトルでありますが、使用後の容量が器具や機械を使用しなければ縮小がなかなか出来ず、保管に広い場所を要していました。
【発明の開示】
【発明が解決しようとする課題】
【０００３】  ペットボトルは軽量で広く様々な飲料の容器として普及し、リサイクルも容易な素材として、広く自治体の資源回収の資源として知られています。しかし、いざ収又保管となると、家庭でも自治体でもその重量に反して、容量の大きさによる、保管や運搬のスペース的な問題がありました。圧縮機等の使用も限られた場所でしか使用出来ませんでした。
本発明は、容易にその容量を約半量に減らす事が可能になります。
【課題を解決するための手段】
【０００４】  ペットボトル本体が胴体縦半分部分より形状変形が可能になることによって、使用者が使用後、容易に容量を減らす事が出来る。
【発明の効果】
【０００５】本発明により従来ペットボトル本体の容量縮小を、機械や器具を使用する必要がなく、使用者が容易にその場でその容量を約半分に減らすことが出来ます。交互に重ねての保管  も可能です。それによって、保管及び収容場所の確保、輸送効率の向上、使用者の負担減によるリサイクル意識の向上も見込まれます。
【発明を実施するための最良の形態】
【０００６】  以下、本発明の実施の形態を説明する。
ペットボトルの本体胴体部分にキャツプの部分を避ける様に縦半分に、容量等に少しの違いを設けることにより、その境目より使用後折り返しを可能にすることが出来る。又、折り返しを容易にするために、折り返し部分の素材の厚みを薄くする、又、その部分のみ柔軟な素材にする。
【産業上の利用可能性】
【０００７】  本発明により、ペットボトルのリサイクル効率や保管運搬等の作業効率等の確実なる向上が見込まれます。
【図面の簡単な説明】
【０００８】
【図１】本発明の斜視図
【図２】本発明の側面図
【符号の説明】
（１）本体  （２）折り目部分  （３）蓋
【図１】
2008239245.tif 000003
【図２】
2008239245.tif 000004